(57)【要約】【課題】加熱気体の廃棄物に対する作用量を十分なものとなすとともに、排出補助シリンダを不必要とする。【解決手段】感染性廃棄物の加熱滅菌装置は、加熱滅菌用ボックス（４）の内部に前方へ引出し自在に収容された枠状の廃棄物引出し用部材（９）の前後壁（５）（６）および左右側壁（７）（８）並びに加熱滅菌用ボックス（４）の底部に設けられた固定底部材（１０）がそれぞれ格子よりなり、しかも前後壁（５）（６）および左右側壁（７）（８）全体は、投入された感染性廃棄物入り専用袋が突っ張って自重で落ちないことがない程度に外広がり状に傾斜せしめられているものである。【選択図】    図１
2008188267.tif 000002
【特許請求の範囲】
【請求項１】
加熱用気体流入口および加熱後の気体流出口を有する加熱滅菌用加熱滅菌用ボックスの内部に、前後壁および左右側壁よりなる枠状の廃棄物引出し用部材が前方へ引出し自在に収容され、引出し用部材の上側が廃棄物受入れ用開口となされ、下側が廃棄物排出用開口となされ、廃棄物排出用開口は加熱滅菌用ボックスの底部に配置せられた固定底部材の上方にあり、加熱滅菌用ボックスの頂部には感染性廃棄物投入口が設けられ、前部には引出し用部材が引出されて廃棄物が取出される廃棄物取出口が設けられ、感染性廃棄物投入口は加熱滅菌用ボックスの頂部蓋によって開閉自在となされ、廃棄物取出口は引出し用部材の前側に設けられた前部蓋によって開閉自在となされており、引出し用部材の受入れ用開口は投入口の下方にあり、引出し用部材の前後壁および左右側壁並びに底部材にはそれぞれ加熱用気体流入部が設けられており、感染性廃棄物が投入された引出し用部材は、加熱滅菌用ボックス内での感染性廃棄物の滅菌処理後、加熱滅菌用ボックスの前方へ引出されるとともに引出し部材の排出用開口から処理済廃棄物が排出されるようになされている、感染性廃棄物の加熱滅菌装置において、引出し用部材の前後壁および左右側壁並びに底部材が格子よりなり、格子目が加熱用気体流入部となされ、かつ前後壁および左右側壁のうち少なくとも２つの壁は、投入された感染性廃棄物入り専用袋が突っ張って自重で落ちないことがない程度に、全高さのうち少なくとも裾部分が外広がり状に傾斜せしめられていることを特徴とする感染性廃棄物の加熱滅菌装置。
【請求項２】
引き出し部材の前後壁および左右側壁を構成する格子が、多数の並列状縦棒と、並列状縦棒の上下端部および中間部にこれらと交差状に配されて各棒の外側が固着せられている帯板とよりなり、隣合う帯板が相互に連続せしめられて全体が方形状となされていることを特徴とする請求項１記載の感染性廃棄物の加熱滅菌装置。
【請求項３】
引き出し部材の前後壁および左右側壁を構成する格子が、並列状縦棒と、並列状縦棒の上下端部および中間部にこれらと交差状に配されて各棒の外側が固着せられている内帯板と、各内帯板の外面に重ねられて内帯板に結合せられた外帯板よりなり、隣合う外帯板が内向き縦アングル部材を介して相互に連続しており、各外帯板の端が縦アングル部材の縁に固着されていることを特徴とする請求項１記載の感染性廃棄物の加熱滅菌装置。
【請求項４】
底部材を構成する格子が、並列状横棒と、各横棒の後端部が嵌入れられた長さ方向に一列の孔を有する左右方向にのびた垂直帯板と、同前端部に交差状に配されて櫛歯の先端に各棒の下側が固着せられている左右方向にのびた垂直櫛状板とよりなることを特徴とする請求項１、２または３記載の感染性廃棄物の加熱滅菌装置。
【請求項５】
さらに、加熱滅菌用加熱滅菌用ボックスの上部にマイクロ波導入口が設けられており、加熱滅菌用ボックスの頂部蓋の下面にマイクロ波導入口から導入されたマイクロ波を分散するスターラが取付けられていることを特徴とする請求項１ないし４記載のうちいずれか一項に記載の感染性廃棄物の加熱滅菌装置。
【発明の詳細な説明】
【技術分野】
【０００１】
本発明は、病院から出る使用済みの透析用ダイアライザー、注射器等の感染性廃棄物の加熱滅菌装置に関する。
【背景技術】
【０００２】
従来、感染性廃棄物の加熱滅菌装置としては、下記特許文献１に開示されているような加熱気体流入口および加熱後の気体流出口を有する加熱滅菌用加熱滅菌用ボックスの内部に、前後壁および左右側壁よりなる枠状のステンレス製廃棄物引出し用部材が前方へ引出し自在に収容され、引出し用部材の上側が廃棄物受入れ用開口となされ、下側が廃棄物排出用開口となされ、廃棄物排出用開口は加熱滅菌用ボックスの底部に設けられた固定底部材の上方にあり、加熱滅菌用ボックスの頂部には感染性廃棄物投入口が設けられ、前部には引出し用部材が引出されて廃棄物が取出される廃棄物取出口が設けられ、感染性廃棄物投入口は加熱滅菌用ボックスの頂部蓋によって開閉自在となされ、廃棄物取出口は引出し用部材の前側に設けられた前部蓋によって開閉自在となされており、引出し用部材の受入れ用開口は投入口の下方にあり、引出し用部材の前後壁および左右側壁並びに底部材にはそれぞれ複数のスリツト状加熱気体流入部が設けられており、感染性廃棄物が投入された引出し用部材は、加熱滅菌用ボックス内での感染性廃棄物の滅菌処理後、加熱滅菌用ボックスの前方へ引出されるとともに引出し部材の排出用開口から処理済廃棄物が排出されるようになされたものが知られている。
【特許文献１】特許第３５３６１４号公報
【発明の開示】
【発明が解決しようとする課題】
【０００３】
ところが、上記加熱滅菌装置における廃棄物引出し用部材の加熱気体流入部は複数のスリツトであるため、引出し用部材内への加熱気体の流入に時間を要するばかりか加熱気体の廃棄物に対する作用量も十分ではなかった。また、引出し用部材の前後壁および左右側壁は垂直であるため、廃棄物が加熱中に変形し、滅菌処理後、引出し用部材を加熱滅菌用ボックスの前方へ引出して引出し部材の排出用開口から処理済廃棄物を排出しようとしたさい、変形した廃棄物が引出し部材の内面に突っ張り、自重で落下しないことがあった。そこで予め備えられている排出補助シリンダを作動して引出し部材の廃棄物受入れ用開口から下方へピストンロッド先端に設けられた押出板を突出し、引出し部材から廃棄物を強制的に突落とさなければならなかった。
【０００４】
本発明の目的は、引出し用部材内への加熱気体の流入時間を短縮するとともに、加熱気体の廃棄物に対する作用量を十分なものとなし、しかも処理済廃棄物を排出するさい、変形した廃棄物が引出し部材の内面に突っ張ることなく自重で落下し得、ひいては排出補助シリンダを不必要とする感染性廃棄物の加熱滅菌装置を提供するにある。
【課題を解決するための手段】
【０００５】
請求項１の発明は、加熱用気体流入口および加熱後の気体流出口を有する加熱滅菌用ボックスの内部に、前後壁および左右側壁よりなる枠状の廃棄物引出し用部材が前方へ引出し自在に収容され、引出し用部材の上側が廃棄物受入れ用開口となされ、下側が廃棄物排出用開口となされ、廃棄物排出用開口は加熱滅菌用ボックスの底部に配置せられた固定底部材の上方にあり、加熱滅菌用ボックスの頂部には感染性廃棄物投入口が設けられ、前部には引出し用部材が引出されて廃棄物が取出される廃棄物取出口が設けられ、感染性廃棄物投入口は加熱滅菌用ボックスの頂部蓋によって開閉自在となされ、廃棄物取出口は引出し用部材の前側に設けられた前部蓋によって開閉自在となされており、引出し用部材の受入れ用開口は投入口の下方にあり、引出し用部材の前後壁および左右側壁並びに底部材にはそれぞれ加熱用気体流入部が設けられており、感染性廃棄物が投入された引出し用部材は、加熱滅菌用ボックス内での感染性廃棄物の滅菌処理後、加熱滅菌用ボックスの前方へ引出されるとともに引出し部材の排出用開口から処理済廃棄物が排出されるようになされている、感染性廃棄物の加熱滅菌装置において、引出し用部材の前後壁および左右側壁並びに底部材が格子よりなり、格子目が加熱用気体流入部となされ、かつ前後壁および左右側壁のうち少なくとも２つの壁は、投入された感染性廃棄物入り専用袋が突っ張って自重で落ちないことがない程度に、全高さのうち少なくとも裾部分が外広がり状に傾斜せしめられているものである。
【０００６】
請求項２の発明は、請求項１記載の感染性廃棄物の加熱滅菌装置において、引出し部材の前後壁および左右側壁を構成する格子が、多数の並列状縦棒と、並列状縦棒の上下端部および中間部にこれらと交差状に配されて各棒の外側が固着せられている帯板とよりなり、隣合う帯板が相互に連続せしめられて全体が方形状となされていることを特徴とするものである。
【０００７】
請求項３の発明は、請求項１記載の感染性廃棄物の加熱滅菌装置において、引出し部材の前後壁および左右側壁を構成する格子が、並列状縦棒と、並列状縦棒の上下端部および中間部にこれらと交差状に配されて各棒の外側が固着せられている内帯板と、各内帯板の外面に重ねられて内帯板に結合せられた外帯板よりなり、隣合う外帯板が内向き縦アングル部材を介して相互に連続しており、各外帯板の端が縦アングル部材の縁に固着されていることを特徴とするものである。
【０００８】
請求項４の発明は、請求項１、２または３記載の感染性廃棄物の加熱滅菌装置において、底部材を構成する格子が、並列状横棒と、各横棒の後端部が嵌入れられた長さ方向に一列の孔を有する左右方向にのびた垂直帯板と、同前端部に交差状に配されて櫛歯の先端に各棒の下側が固着せられている左右方向にのびた垂直櫛状板とよりなることを特徴とするものである。
【０００９】
請求項５の発明は、請求項１ないし４記載のうちいずれか一項に記載の感染性廃棄物の加熱滅菌装置において、さらに、加熱滅菌用加熱滅菌用ボックスの上部にマイクロ波導入口が設けられており、加熱滅菌用ボックスの頂部蓋の下面にマイクロ波導入口から導入されたマイクロ波を分散するスターラが取付けられていることを特徴とするものである。
【発明の効果】
【００１０】
請求項１の発明による感染性廃棄物の加熱滅菌装置は、引出し用部材の前後壁および左右側壁並びに底部材が格子よりなり、格子目が加熱空気流入部となされているものであるから、加熱用気体が引出し用部材のほぼ全体からその内部に一挙に大量に流入する。したがって、引出し用部材内への加熱用気体の流入時間を短縮し得るとともに、加熱用気体の廃棄物に対する作用量が十分なものとなり、廃棄物の加熱滅菌処理を能率的かつ効果的に行うことができる。また、引出し用部材の前後壁および左右側壁のうち少なくとも２つの壁は、投入された感染性廃棄物入り専用袋が突っ張って自重で落ちないことがない程度に、全体高さのうち少なくとも裾部分が外広がり状に傾斜せしめられているから、処理済廃棄物を排出するさい、変形した廃棄物が横方向にのびるように変形していたとしても自重で落下する。したがつて、従来備え付けられていた排出補助エアシリンダが不必要となり、それに伴ってエア供給用配管および制御装置も不必要となるので、装置全体がコンパクト化し、かつそれだけ、装置が安価なものとなる。
【００１１】
請求項２の発明による感染性廃棄物の加熱滅菌装置は、引出し部材の前後壁および左右側壁を構成する格子が、多数の並列状縦棒と、並列状縦棒の上下端部および中間部にこれらと交差状に配されて各棒の外側が固着せられている帯板とよりなり、隣合う帯板が相互に連続せしめられて全体が方形状となされているから、簡単な構造で所期する格子が得られる。
【００１２】
請求項３の発明による感染性廃棄物の加熱滅菌装置は、引出し部材の前後壁および左右側壁を構成する格子が、並列状縦棒と、並列状縦棒の上下端部および中間部にこれらと交差状に配されて各棒の外側が固着せられている内帯板と、各内帯板の外面に重ねられて内帯板に結合せられた外帯板よりなり、隣合う外帯板が内向き縦アングル部材を介して相互に連続しており、各外帯板の端が縦アングル部材の縁に固着されているから、引出し部材が、内外二重の帯板と四隅の縦アングル部材とにより頑丈なものとなる。
【００１３】
請求項４の発明による感染性廃棄物の加熱滅菌装置は、底部材を構成する格子が、並列状横棒と、各横棒の後端部が嵌入れられた長さ方向に一列の孔を有する左右方向にのびた垂直帯板と、同前端部に交差状に配されて櫛歯の先端に各棒の下側が固着せられている左右方向にのびた垂直櫛状板とよりなるから、多数の横棒の各後端部を垂直帯板の一列の孔それぞれに嵌め入れるだけで、多数の横棒を所定間隔おきに並列に配置することができ、しかも底部材の前端部に左右方向にのび帯状垂直櫛状板が端に用いられているので、感染性廃棄物が熱可塑性合成樹脂で加熱により軟化し、多数の横棒の空間からこれの入った専用袋の下部が波状に垂れ下がっても、引出し用部材を加熱滅菌用ボックス内の前方へ引出すさい、専用袋の波状に垂れ下がった下部が櫛歯の間から抜けるので、固定底部材に引っ掛かることなく円滑に引出し用部材を引出すことができる。
【００１４】
請求項５の発明による感染性廃棄物の加熱滅菌装置は、加熱滅菌用加熱滅菌用ボックスの上部にマイクロ波導入口が設けられており、加熱滅菌用ボックスの頂部蓋の下面にマイクロ波導入口から導入されたマイクロ波を分散するスターラが取付けられているから、マイクロ波が引出し用部材のほぼ全体からその内側の廃棄物に均一に照射され、加熱気体による廃棄物の外からの加熱と相俟って廃棄物自体の内部からも発熱することにより、確実に廃棄物を滅菌処理することができる。
【発明を実施するための最良の形態】
【００１５】
本発明を実施するための最良の形態を、以下図面を参照して説明する。
【００１６】
なお、本明細書において、方向は図１を基準とし、前とは同図の左側を、後とは同図の右側を、左とは同図の紙面裏側を、右とは同図の紙面表側を、上とは同図の上側を、下とは同図の下側をそれぞれ指すものとする。
【００１７】
この実施形態の感染性廃棄物の加熱滅菌装置は、加熱滅菌せられる感染性廃棄物が病院から出る使用済みの透析用ダイアライザー、注射器のシリンジ等の不燃性のものに限られるので、加熱気体としては加熱空気が用いられる。
【００１８】
感染性廃棄物の加熱滅菌装置は、図１ないし図３に示されているように、そのケーシング（１）の右後上部に配置せられかつ加熱気体流入口（２）を後下部に、加熱後の気体流出口（３）を右上部にそれぞれ有する加熱滅菌用ボックス（４）の内部に、前後壁（５）（６）および左右側壁（７）（８）（図２参照）よりなる枠状の廃棄物引出し用部材（９）が前方へ引出し自在に収容され、引出し用部材（９）の上側が廃棄物受入れ用開口となされ、下側が廃棄物排出用開口となされ、廃棄物排出用開口は加熱滅菌用ボックス（４）の底部に設けられた固定底部材（１０）の上方にあり、加熱滅菌用ボックス（４）の頂部には感染性廃棄物投入口（１１）が設けられ、前部には引出し用部材（９）が引き出されて廃棄物が取り出される廃棄物取出口（１２）が設けられ、感染性廃棄物投入口（１１）は加熱滅菌用ボックス（４）の頂部蓋（１３）によって開閉自在となされ、廃棄物取出口（１２）は引出し用部材（９）の前側に設けられた前部蓋（１４）によって開閉自在となされており、引出し用部材（９）の受入れ用開口は投入口（１１）の下方にある。引出し用部材（９）の前後壁（５）（６）および左右側壁（７）（８）並びに底部材（１０）はそれぞれ格子よりなり、格子目が加熱気体流入部（１５）（１６）となされている。感染性廃棄物が投入された引出し用部材（９）は、加熱滅菌用ボックス（４）内での感染性廃棄物の滅菌処理後、加熱滅菌用ボックス（４）の前方へ引き出されるとともに引出し部材（９）の排出用開口から処理済廃棄物が排出されるようになされており、前後壁（５）（６）および左右側壁（７）（８）全体は、投入された感染性廃棄物入り専用袋が突っ張って自重で落ちないことがない程度に外広がり状に傾斜せしめられている。
【００１９】
感染性廃棄物はポリエチレン袋に入れられているが、滅菌処理時１８０゜Ｃ程度に加熱せられるので、感染性廃棄物中に含まれる熱可塑性合成樹脂とともに溶融軟化する。したがって、これを加熱滅菌用ボックス（４）に投入するさい、２５８゜Ｃの高い融点を有するポリエステル不織布製専用袋に入れられる。
【００２０】
前後壁（５）（６）および左右側壁（７）（８）を構成する格子は、上下方向にのびた断面円形の多数の並列状縦棒（１７）と、並列状縦棒（１７）の上下両端部および中間部にこれらと交差状に配されて各縦棒（１７）の外側が固着せられている帯板（１８）（１９）（２０）とよりなり、隣り合う帯板が相互に連続せしめられて全体が平面からみて方形状となされている。なお、中間部の帯板（２０）は、図1および図３では１つであるが、上下両端部の帯板（１８）（１９）間に所定間隔おきに複数存在していてもよい。
【００２１】
底部材（１０）を構成する格子は、前後方向にのびた断面円形の並列状横棒（２１）と、並列状横棒（２１）の後端部が嵌入れられた長さ方向一列の孔を有する左右横方向にのびた垂直帯板（２２）と、同前端部下面に交差状に配されて櫛歯（２３）の先端に各横棒（２１）の下側が固着せられている左右方向にのびた垂直櫛状板（２４）とよりなる。櫛歯（２３）の先端は、固着せられる横棒（２１）の外周にそうように凹円弧状となされている。並列状横棒（２１）のうち左右両端のものの後端にテーパ付き延長部（２５）が形成せられており、テーパ付き延長部（２５）が加熱滅菌用ボックス（４）の後壁下部内面両端に設けられた平面からみて逆コ形の後支持部材（２６）の孔に挿入せられている。また、垂直櫛状板（２４）の両端背面には、テーパ付き下方突出脚（２７）を有する断面円形の短い差込み棒（２８）が固着られている。差込み棒（２８）は、加熱滅菌用ボックス（４）の内面下部両隅に内方張り出し状に設けられかつ下方突出脚（２７）の基部がはまる孔を有する水平板状前支持部材（２９）に支持されている。以上により、底部材（１０）は加熱滅菌用ボックス（４）に対して取外し自在となされている。なお、垂直櫛状板（２４）は、並列横棒（２１）の前端部のみならず、並列横棒（２１）の長さの中間に所定間隔おきに複数存在していてもよい。加熱滅菌用ボックス（４）の底には、投入されて底部材（１０）に受けられた感染性廃棄物から流下する液体を収容するトレー（３０）が配置せられている。トレー（３０）の後両隅は、加熱滅菌用ボックス（４）の底に設けられた左右一対の短いアングル状位置決め部材（３１）により定位置に配置せられるようになっている。トレー（３０）に感染性廃棄物からの流下液体が一定量溜まった場合は、トレー（３０）の上にある底部材（１０）を加熱滅菌用ボックス（４）から取外し、トレー（３０）を感染性廃棄物投入口（１１）から外に取出して溜まった液体を捨てることができるようになっている。なお、加熱気体流入口（２）上側には、加熱空気を引出し部材（９）の底部に送るようにする斜め内下向きの庇状案内板（７９）が配されている（図４参照）。
【００２２】
ケーシング（１）の下方にブロワー（３２）が配置せられ、ブロワー（３２）を介して加熱空気流入口（２）に至る供給管（３３）と加熱後の気体流出口（３）に至る排出管（３４）が配されている。そしてブロワー（３２）近くの排出管（３４）の先端部にヒーターが内蔵せられており（図示略）、ここで再加熱せられ、ブロワー（３２）を通じて供給管（３３）に送られ、循環せしめられる。
【００２３】
廃棄物取出口（１２）は、つぎの構成により、引出し用部材（９）の前側に設けられた前部蓋（１４）によって開閉自在となされるとともに、廃棄物引出し用部材（９）は、加熱滅菌用ボックス（４）から前方へ引出し自在となされている。すなわち、前部蓋（１４）は引出し用部材（９）の前壁（５）の左右上下４隅に前方突出状に設けられた４つの棒状連結部材（３５）により、引出し用部材（９）に連結されている。そして、廃棄物取出口（１２）の外周縁部に前部蓋（１４）の背面周縁部に対応してエンドレスに設けられたパツキング（３６）が、前部蓋（１４）閉鎖時に前部蓋（１４）に密接するようになされている。
【００２４】
図５および図６に示されているように、加熱滅菌用ボックス（４）の前方左右には、一対の駆動エンドレスチエーン（３７）が配置せられている。前部蓋（１４）の両側には、これと同じ高さで前面からみてコ字形の連結部材（３８）が側方突出状に設けられており、各連結部材（３８）の垂直部前後にエンドレスチエーン（３７）の上側移動部に対応する高さ位置において左右一対のリンク間に介在せられ、両リンクとともにピン止めせられる耳部（３９）が設けられている。したがつて、両エンドレスチエーン（３７）は連結部材（３８）を介してエンドレスとなっている。連結部材（３８）の各垂直部前後にエンドレスチエーン（３７）の下側移動部に対応する高さ位置には、その移動を可能にするように方形の孔（４０）があけられている。両駆動エンドレスチエーン（３７）の内側には、それぞれアングル材で組まれた額縁状枠（４１）がケーシング（１）に取付けられている。駆動スプロケット・ホイール（４２）のモータにより正逆両方向に回転せしめられる回転軸（４３）の軸受（４４）は、各額縁状枠（４１）の前垂直部の外面の高さの中程に後方突出状に取付けられた垂直支持板（４５）の外面に設けられている。従動スプロケット・ホイール（４６）が回転自在に嵌められた固定軸（４７）は、各額縁状枠（４１）の後垂直部の外面の高さの中程に後方突出状に取付けられた垂直支持板（４８）の外面に設けられている上下対向状で横断面鉤形状の一対のガイド（４９）に摺動自在に挟まれたチエーン緊張用可動板（５０）に外方突出状に設けられている。チエーン緊張用可動板（５０）の前端外面の高さの中央には、外方突出部（５１）が設けられており、その前方にこれと対向してめねじ部材（５２）が垂直支持板（４８）の前端に設けられている。めねじ部材（５２）の前方からこれにねじ込まれた六角頭付き調節ねじ棒（５３）が、外方突出部（５１）に回動自在に取付けられている。六角頭付き調節ねじ棒（５３）には、めねじ部材（５２）の前に固定ナット（５４）がねじ嵌められており、調節ねじ棒（５３）を左または右に回してチエーン緊張用可動板（５０）を前後動し、チエーンの張り具合を調節した後、固定ナット（５４）を締め得るようになされている。各駆動エンドレスチエーン（３７）の上方と下方には、両端部が各額縁状枠（４１）の前後垂直部に設けられている締止め部材（５５）に締止められた前後方向にのびているガイドバー（５６）が配置せられている。上下ガイドバー（５６）は、各連結部材（３８）の垂直部の上下に前方突出状に設けられかつ内面にスライドベアリングを有する短筒（５７）を貫通せしめられている。これにより、前部蓋（１４）は、左右額縁状枠（４１）を介して左右にある上下ガイドバー（５６）に支持せられ、両駆動エンドレスチエーン（３７）の上側移動部の前後動により、廃棄物取出口（１２）に対して開閉自在となされている。
【００２５】
廃棄物引出し用部材（９）の加熱滅菌用ボックス（４）からの前方引出し端位置における下方には、２本の回転刃軸（５８）を備えた破砕機（５９）が配置せられ、破砕機（５９）の上にホッパー（６０）が設けられており、廃棄物引出し用部材（９）の排出用開口から自重で落下排出せられた廃棄物が破砕機（５９）に導かれる。そして、破砕機（５９）で廃棄物は適当な大きさに破砕される（図１参照）。
【００２６】
さらに、加熱滅菌用加熱滅菌用ボックス（４）の上部左側にマイクロ波導入口（６１）が設けられており、加熱滅菌用ボックス（４）の頂部蓋（１３）の下面にマイクロ波導入口（６１）から導入されたマイクロ波を分散するスターラ（６２）が取付けられている。マイクロ波導入口（６１）には、マイクロ波発信器（図示略）から発信されたマイクロ波を導く導波管（６３）が接続されている（図３参照）。頂部蓋（１３）は、加熱滅菌用ボックス（４）の感染性廃棄物投入口（１１）左端にヒンジで開閉自在となされており、頂部蓋（１３）の周縁部には、感染性廃棄物投入口（１１）の外周縁部に設けられたフランジ（６４）に対応してエンドレスにパツキング（６５）が設けられ、前部蓋（１４）閉鎖時にフランジ（６４）に密接するようになされている。
【００２７】
図７および図８には、引出し用部材の変形例が示されている。この引出し用部材（６６）では、その前後壁（６７）（６８）および左右側壁（６９）（７０）を構成する格子が、並列状縦棒（７１）と、並列状縦棒（７１）の上下端部および中間部にこれらと交差状に配されて各棒（７１）の外側が固着せられている内帯板（７２）（７３）（７４）と、各内帯板（７２）（７３）（７４）の外面に重ねられて内帯板（７２）（７３）（７４）に結合せられた外帯板（７５）（７６）（７７）とよりなり、隣り合う外帯板が内向き縦アングル部材（７８）を介して相互に連続しており、各外帯板（７５）（７６）（７７）の端が縦アングル部材（７８）の縁に固着されているものである。なお、中間部の内帯板（７４）と外帯板（７７は、上下両端部の内帯板（７２）（７３）と外帯板（７５）（７６）間に所定間隔おきに複数存在していてもよい。
【００２８】
上記実施形態では、引出し用部材の前後壁および左右側壁４つすべての全高さが、投入された感染性廃棄物入り専用袋が突っ張って自重で落ちないことがない程度に外広がり状に傾斜せしめられていたが、前後壁および左右側壁のうち３つまたは２つの壁のみが傾斜せしめられたものでもよい。さらにその傾斜は、全高さのうち裾部分だけでもよい。
【００２９】
また、上記実施形態では、加熱気体としては加熱空気が用いられたが、加熱滅菌せられる感染性廃棄物が、脱脂綿、包帯等加熱により発火するようなものが含まれている場合は、加熱された窒素ガスのような不活性ガスが用いられる。
【図面の簡単な説明】
【００３０】
【図１】本発明の加熱滅菌装置を備えた廃棄物処理装置全体の垂直断面図である。
【図２】図１の廃棄物処理装置全体の水平断面図である。
【図３】図２のIII-III線にそう拡大断面図で、引出し用部材が加熱滅菌用ボックスの内部に収容されている状態が示されている。
【図４】本発明の加熱滅菌装置の底部分の拡大垂直断面図である。
【図５】図２のV-V線にそう拡大断面図である。
【図６】図５のVI-VI線にそう断面図である。
【図７】廃棄物引出し用部材の変形例を示す一部を切欠いた側面図である。
【図８】図７のVIII-VIII線にそう断面図である。
【符号の説明】
【００３１】
（２）  加熱気体流入口
（３）  加熱後の気体流出口    
（４）  加熱滅菌用ボックス
（５）（６７）  廃棄物引出し用部材の前壁
（６）（６８）  廃棄物引出し用部材の後壁
（７）（６９）  廃棄物引出し用部材の左側壁
（８）（７０）  廃棄物引出し用部材の右側壁
（９）（６６）  廃棄物引出し用部材
（１０）  固定底部材  
（１１）  感染性廃棄物投入口
（１２）  廃棄物取出口
（１３）  頂部蓋
（１４）  前部蓋
（１５）（１６）  加熱気体流入部
（１７）（７１）  並列状縦棒
（１８）（１９）（２０）  帯板
（２１）  並列状横棒
（２２）  垂直帯板
（２３）  櫛歯
（２４）  垂直櫛状板
（６１）  マイクロ波導入口
（６２）  スターラ
（７２）（７３）（７４）  内帯板
（７５）（７６）（７７）  外帯板
（７８）  縦アングル部材
【図１】
2008188267.tif 000003
【図２】
2008188267.tif 000004
【図３】
2008188267.tif 000005
【図４】
2008188267.tif 000006
【図５】
2008188267.tif 000007
【図６】
2008188267.tif 000008
【図７】
2008188267.tif 000009
【図８】
2008188267.tif 000010